(57)【要約】【課題】初期設定時における画像濃度の低下をトナーの帯電量に応じて現像バイアスを変化させない場合と比較して抑制することができる画像形成装置を提供する。【解決手段】画像形成装置１０は、感光体ドラム１１２と、帯電したトナーを保持し、現像バイアスが印加されることにより帯電したトナーを感光体ドラム１１２へと供給する現像スリーブ２３２を有する現像装置２００と、現像装置２００を用いて形成した基準画像の濃度を検知する画像濃度センサ５０２と、現像装置２００の初期設定時において、画像濃度センサ５０２により検知された濃度が予め定められた値以下である場合に、現像スリーブ２３２に印加される現像バイアスを安定期の濃度制御を行う場合の範囲よりも高くするように制御する制御回路６０２とを有する。【選択図】図４
2016061817.tif 000002
【特許請求の範囲】
【請求項１】
像保持体と、
帯電したトナーを保持するトナー保持体であって、現像バイアスが印加されることにより帯電したトナーを前記像保持体へと供給する前記トナー保持体を有する現像装置と、
前記現像装置を用いて形成した基準画像の濃度を検知する画像濃度検知手段と、
前記現像装置の初期設定時において、前記画像濃度検知手段により検知された画像の濃度が予め定められた値以下である場合に、前記トナー像保持体に印加される現像バイアスを安定期の濃度制御を行う場合の範囲よりも高くするように制御する制御手段と、
を有する画像形成装置。
【請求項２】
前記現像装置にトナーを供給するトナー供給装置をさらに有し、
前記制御手段は、前記現像装置の初期設定の後に予め定められた量の画像が形成されるまでは、前記トナー供給装置による前記現像装置へのトナーの供給がされないように制御する請求項１記載の画像形成装置。
【請求項３】
前記現像装置内に収納された現像剤中のトナーの濃度を検知するトナー濃度検知手段をさらに有し、
前記制御手段は、前記画像濃度検知手段により検知された画像の濃度が予め定められた値よりも大きい場合に、前記トナー濃度検知手段により検知された前記現像装置内に収納された現像剤中のトナーの濃度に基づいて、前記現像装置内に収納された現像剤中のトナーの濃度を制御する請求項１又は２記載の画像形成装置。
【請求項４】
前記制御手段は、前記現像装置の初期設定時に前記トナー像保持体に印加される現像バイアスを前記範囲よりも高くした場合に、前記現像装置の初期設定の後に予め定められた量の画像形成された後に、前記現像バイアスを低くするように制御する請求項１乃至３いずれか記載の画像形成装置。
【請求項５】
前記制御手段は、形成された画像の形成量の増加に伴って前記現像バイアスを低くするように制御する請求項１乃至４いずれか記載の画像形成装置。
【請求項６】
複数の前記現像装置を有し、
複数の前記現像装置の少なくとも２つがそれぞれに有する前記トナー像保持体に現像バイアスを印加する現像バイアス印加装置をさらに有し、
前記制御手段は、複数の前記現像装置の前記少なくとも２つによってそれぞれに形成された前記基準画像の濃度の全てが前記予め定められた値以下である場合に、複数の前記現像装置の前記少なくとも２つがそれぞれに有する前記トナー像保持体に印加される現像バイアスを前記範囲よりも高くするように制御する請求項１乃至５いずれか記載の画像形成装置。
【請求項７】
複数の前記現像装置を有し、
複数の前記現像装置の少なくとも２つがそれぞれに有する前記トナー像保持体に現像バイアスを印加する現像バイアス印加装置をさらに有し、
前記制御手段は、複数の前記現像装置の前記少なくとも２つによってそれぞれに形成された前記基準画像の濃度の全てが前記予め定められた値よりも大きい場合に、複数の前記現像装置の前記少なくとも２つがそれぞれに有する前記トナー像保持体に印加される現像バイアスを前記範囲から変化させないように制御する請求項１乃至５いずれか記載の画像形成装置。
【請求項８】
複数の前記現像装置を有し、
複数の前記現像装置の少なくとも２つがそれぞれに有する前記トナー像保持体に現像バイアスを印加する現像バイアス印加装置をさらに有し、
前記制御手段は、複数の前記現像装置の前記少なくとも２つによってそれぞれに形成された前記基準画像の濃度の少なくとも一つが前記予め定められた値以下であり、複数の前記現像装置の前記少なくとも２つによってそれぞれに形成された前記基準画像の濃度の少なくとも他の一つが前記予め定められた値よりも大きい場合は、複数の前記現像装置の前記少なくとも２つによってそれぞれに形成された前記基準画像の濃度の加重平均値が前記予め定められた値以下である場合に、複数の前記現像装置の前記少なくとも２つがそれぞれに有する前記トナー像保持体に印加される現像バイアスを前記範囲よりも高くするように制御する請求項１乃至５いずれか記載の画像形成装置。
【請求項９】
像保持体と、
帯電したトナーを保持するトナー保持体であって、現像バイアスが印加されることにより帯電したトナーを前記像保持体へと供給する前記トナー保持体を有する現像装置と、
前記現像装置の初期設定時において、トナーの帯電量が予め定められた値以上である場合に、前記トナー保持体に印加される現像バイアスを安定期の濃度制御を行う場合の範囲より高くするように制御する制御手段と、
を有する画像形成装置。
【発明の詳細な説明】
【技術分野】
【０００１】
本発明は画像形成装置に関する。
【背景技術】
【０００２】
特許文献１には、像担持体と、該像担持体を帯電させる帯電器と、該帯電器によって帯電された前記像担持体の帯電面を露光して静電潜像を形成する露光器と、前記像担持体の帯電面に形成された静電潜像を、帯電された現像剤を用いて現像する現像器と、該現像器が装着されてからの印写枚数又は前記現像器の動作時間に対応して、前記静電潜像における帯電電位及び前記現像器に印加される現像バイアス電位の電位差を制御する制御部とを備える画像形成装置において、装着された前記現像器が用いる現像剤に係る種類を判別する判別部を備え、前記制御部は、前記判別部が判別した種類に対応して前記電位差を制御するようにしてあることを特徴とする画像形成装置が記載されている。
【０００３】
特許文献２には、感光体上に形成された静電潜像を二成分現像剤を用いて現像して顕像化し、該顕像を被転写体へ転写して画像を形成する静電印写装置であって、感光体上に形成された顕像のトナー付着量を検知する光学センサーと、初期現像剤セット後に、一定時間、現像器のカラ廻し運転を行い、該カラ廻し運転中、一定時間間隔で複数回感光体上に基準濃度パターンを現像して、該各トナー付着量を検知し、該検知された各値間の差分の変化量により、初期のトナー補給条件を補正する手段とを具備することを特徴とする静電印写装置が記載されている。
【先行技術文献】
【特許文献】
【０００４】
【特許文献１】特開２０１１−５３６３１号公報
【特許文献２】特開平６−１１０３２８号公報
【発明の概要】
【発明が解決しようとする課題】
【０００５】
初期の状態程トナーは帯電しやすく、一定重量当たりのトナーの帯電量が高くなりやすい。このため、初期状態にある現像装置を用いて画像を形成した場合、一定時間使用をした現像装置を用いて画像を形成した場合と比較して画像の濃度が低くなりすい。
本発明は、初期設定時における画像濃度の低下を、トナーの帯電量に応じて現像バイアスを変化させない場合と比較して抑制することができる画像形成装置を提供することを目的とする。
【課題を解決するための手段】
【０００６】
請求項１に係る本発明は、像保持体と、帯電したトナーを保持するトナー保持体であって、現像バイアスが印加されることにより帯電したトナーを前記像保持体へと供給する前記トナー保持体を有する現像装置と、前記現像装置を用いて形成した基準画像の濃度を検知する画像濃度検知手段と、前記現像装置の初期設定時において、前記画像濃度検知手段により検知された画像の濃度が予め定められた値以下である場合に、前記トナー像保持体に印加される現像バイアスを安定期の濃度制御を行う場合の範囲よりも高くするように制御する制御手段と、を有する画像形成装置である。
【０００７】
請求項２に係る本発明は、前記現像装置にトナーを供給するトナー供給装置をさらに有し、前記制御手段は、前記現像装置の初期設定の後に予め定められた量の画像が形成されるまでは、前記トナー供給装置による前記現像装置へのトナーの供給がされないように制御する請求項１記載の画像形成装置である。
【０００８】
請求項３に係る本発明は、前記現像装置内に収納された現像剤中のトナーの濃度を検知するトナー濃度検知手段をさらに有し、前記制御手段は、前記画像濃度検知手段により検知された画像の濃度が予め定められた値よりも大きい場合に、前記トナー濃度検知手段により検知された前記現像装置内に収納された現像剤中のトナーの濃度に基づいて、前記現像装置内に収納された現像剤中のトナーの濃度を制御する請求項１又は２記載の画像形成装置である。
【０００９】
請求項４に係る本発明は、前記制御手段は、前記現像装置の初期設定時に前記トナー像保持体に印加される現像バイアスを前記範囲よりも高くした場合に、前記現像装置の初期設定の後に予め定められた量の画像形成された後に、前記現像バイアスを低くするように制御する請求項１乃至３いずれか記載の画像形成装置である。
【００１０】
請求項５に係る本発明は、前記制御手段は、形成された画像の形成量の増加に伴って前記現像バイアスを低くするように制御する請求項１乃至４いずれか記載の画像形成装置である。
【００１１】
請求項６に係る本発明は、複数の前記現像装置を有し、複数の前記現像装置の少なくとも２つがそれぞれに有する前記トナー像保持体に現像バイアスを印加する現像バイアス印加装置をさらに有し、前記制御手段は、複数の前記現像装置の前記少なくとも２つによってそれぞれに形成された前記基準画像の濃度の全てが前記予め定められた値以下である場合に、複数の前記現像装置の前記少なくとも２つがそれぞれに有する前記トナー像保持体に印加される現像バイアスを前記範囲よりも高くするように制御する請求項１乃至５いずれか記載の画像形成装置である。
【００１２】
請求項７に係る本発明は、複数の前記現像装置を有し、複数の前記現像装置の少なくとも２つがそれぞれに有する前記トナー像保持体に現像バイアスを印加する現像バイアス印加装置をさらに有し、前記制御手段は、複数の前記現像装置の前記少なくとも２つによってそれぞれに形成された前記基準画像の濃度の全てが前記予め定められた値よりも大きい場合に、複数の前記現像装置の前記少なくとも２つがそれぞれに有する前記トナー像保持体に印加される現像バイアスを前記範囲から変化させないように制御する請求項１乃至５いずれか記載の画像形成装置である。
【００１３】
請求項８に係る本発明は、複数の前記現像装置を有し、複数の前記現像装置の少なくとも２つがそれぞれに有する前記トナー像保持体に現像バイアスを印加する現像バイアス印加装置をさらに有し、前記制御手段は、複数の前記現像装置の前記少なくとも２つによってそれぞれに形成された前記基準画像の濃度の少なくとも一つが前記予め定められた値以下であり、複数の前記現像装置の前記少なくとも２つによってそれぞれに形成された前記基準画像の濃度の少なくとも他の一つが前記予め定められた値よりも大きい場合は、複数の前記現像装置の前記少なくとも２つによってそれぞれに形成された前記基準画像の濃度の加重平均値が前記予め定められた値以下である場合に、複数の前記現像装置の前記少なくとも２つがそれぞれに有する前記トナー像保持体に印加される現像バイアスを前記範囲よりも高くするように制御する請求項１乃至５いずれか記載の画像形成装置である。
【００１４】
請求項９に係る本発明は、像保持体と、帯電したトナーを保持するトナー保持体であって、現像バイアスが印加されることにより帯電したトナーを前記像保持体へと供給する前記トナー保持体を有する現像装置と、前記現像装置の初期設定時において、トナーの帯電量が予め定められた値以上である場合に、前記トナー保持体に印加される現像バイアスを安定期の濃度制御を行う場合の範囲より高くするように制御する制御手段と、を有する画像形成装置である。
【発明の効果】
【００１５】
請求項１に係る本発明によれば、初期設定時における画像濃度の低下をトナーの帯電量に応じて現像バイアスを変化させない場合と比較して抑制することができる。
【００１６】
請求項２に係る本発明によれば、トナーの供給がされない間に濃度検知手段の目標値を補正することができる。
【００１７】
請求項３に係る本発明によれば、トナーの帯電量が十分である場合に、初期設定時から現像剤中のトナーの濃度の制御を開始することができる。
【００１８】
請求項４に係る本発明によれば、初期設定から予め定められた量の画像が形成された後に画像濃度が高くなることを抑制することができる。
【００１９】
請求項５に係る本発明によれば、初期設定から予め定められた量の画像が形成された後に画像濃度が急激に低下することを抑制することができる。
【００２０】
請求項６に係る本発明によれば、複数の現像装置を有する画像形成装置において、バイス印加装置の数を減らしつつ、初期設定時における画像濃度の低下をトナーの帯電量に応じて現像バイアスを変化させない場合と比較して抑制することができる。
【００２１】
請求項７に係る本発明によれば、複数の現像装置を有する画像形成装置において、バイス印加装置の数を減らしつつ、画像濃度が低下する虞がないにもかかわらず画像濃度を高くするとの弊害を生じないようにすることができる。
【００２２】
請求項８に係る本発明によれば、複数の現像装置を有する画像形成装置において、バイス印加装置の数を減らしつつ、初期設定時における画像濃度の低下をトナー帯電量に応じて現像バイアスを変化させない場合と比較して抑制することができる。
【００２３】
請求項９に係る本発明によれば、初期設定時における画像濃度の低下をトナー帯電量に応じて現像バイアスを変化させない場合と比較して抑制することができる。
【図面の簡単な説明】
【００２４】
【図１】本発明の第１の実施形態に係る画像形成装置を示す図である。
【図２】図１に示す画像形成装置が有するトナー像形成部を示す図である。
【図３】図１に示す画像形成装置が有する制御部を示すブロック図である。
【図４】図１に示す画像形成装置におけるトナーの帯電量と、濃度検知手段の出力との関係を測定した結果を示すグラフである。
【図５】図１に示す画像形成装置における現像装置の初期設定時の動作を示すフローチャートである。
【図６】図１に示す画像形成装置の現像バイアスを調整する動作を示すフローチャートである。
【図７】図１に示す画像形成装置において、現像装置の初期設定時から予め定められた量の画像が形成されるまでの現像バイアスの変化を示すグラフである
【図８】図１に示す画像形成装置における現像バイアスの値を算出するステップを示すフローチャートである。
【図９】本発明の第２の実施形態に係る画像形成装置が有する黒トナー像形成部を示す図である。
【図１０】本発明の第２の実施形態に係る画像形成装置における現像バイアスを調整する動作を示すフローチャートである。
【発明を実施するための形態】
【００２５】
次に、本発明を実施するための形態を図面を参照して説明する。図１には、本発明の第１の実施形態に係る画像形成装置１０が示されている。図１に示されているように、画像形成装置１０は、画像形成装置本体１２を有し、画像形成装置本体１２には、記録媒体として用いられている用紙を排出する排出口１４が形成されている。また、画像形成装置本体１２の上側の面は、画像が形成された用紙が排出される排出部１６として用いられている。
【００２６】
また、画像形成装置本体１２内には、現像装置２００Ｙ、現像装置２００Ｍ、現像装置２００Ｃ及び現像装置２００Ｋを有していてトナー像を形成する像形成部１００と、像形成部１００に用紙を供給する給紙装置４００と、イエロートナー収納容器３００Ｙ、マゼンタトナー収納容器３００Ｍ、シアントナー収納容器３００Ｃ及び黒トナー収納容器３００Ｋとが配置されている。
【００２７】
イエロートナー収納容器３００Ｙ、マゼンタトナー収納容器３００Ｍ、シアントナー収納容器３００Ｃ及び黒トナー収納容器３００Ｋには、イエローのトナー、マゼンタのトナー、シアンのトナー、黒のトナーがそれぞれに収納されていて、後述するトナー供給装置３１０（図２を参照）によって、現像装置２００Ｙ、現像装置２００Ｍ、現像装置２００Ｃ、現像装置２００Ｋへと収納しているトナーがそれぞれ供給されるようになっている。
【００２８】
像形成部１００は、イエロートナー像形成部１１０Ｙ、マゼンタトナー像形成部１１０Ｍ、シアントナー像形成部１１０Ｃ及び黒トナー像形成部１１０Ｋを先述のように有し、転写装置１６０をさらに有する。イエロートナー像形成部１１０Ｙ、マゼンタトナー像形成部１１０Ｍ、シアントナー像形成部１１０Ｃ及び黒トナー像形成部１１０Ｋは、それぞれが感光体ドラム１１２Ｙ、感光体ドラム１１２Ｍ、感光体ドラム１１２Ｃ、感光体ドラム１１２Ｋを有する。感光体ドラム１１２Ｙ、感光体ドラム１１２Ｍ、感光体ドラム１１２Ｃ、感光体ドラム１１２Ｋは、それぞれが像を保持する像保持体として用いられている。
【００２９】
イエロートナー像形成部１１０Ｙ、マゼンタトナー像形成部１１０Ｍ、シアントナー像形成部１１０Ｃ及び黒トナー像形成部１１０Ｋは、それぞれが、イエローの現像剤を用いてイエローのトナー像を形成し、マゼンタの現像剤を用いてマゼンタのトナー像を形成し、シアンのトナー像を用いてシアンのトナー像を形成し、黒の現像剤を用いて黒のトナー像を形成する。イエロートナー像形成部１１０Ｙ、マゼンタトナー像形成部１１０Ｍ、シアントナー像形成部１１０Ｃ、及び黒トナー像形成部１１０Ｋの詳細は後述する。
【００３０】
また、像形成部１００は、光書き込み装置１９０を有する。光書き込み装置１９０は、後述する帯電装置１１６（図２を参照）によって均一に帯電された感光体ドラム１１２Ｙ、感光体ドラム１１２Ｍ、感光体ドラム１１２Ｃ、感光体ドラム１１２Ｋのそれぞれの表面に光を照射することによって潜像を形成する。
【００３１】
転写装置１６０は、感光体ドラム１１２Ｙ、感光体ドラム１１２Ｍ、感光体ドラム１１２Ｃ、感光体ドラム１１２Ｋからトナー像が転写される中間転写体１６２を有する。中間転写体１６２は、帯状であり無端状であって、複数の支持部材に図１に矢印で示す方向に回転することができるように掛け渡されている。
【００３２】
また、転写装置１６０は、感光体ドラム１１２Ｙ、感光体ドラム１１２Ｍ、感光体ドラム１１２Ｃ、感光体ドラム１１２Ｋのそれぞれに形成されたトナー像を中間転写体１６２にそれぞれ転写する１次転写装置１８０Ｙ、１次転写装置１８０Ｍ、１次転写装置１８０Ｃ、１次転写装置１８０Ｋを有する。また、転写装置１６０は、中間転写体１６２に転写されたトナー像を用紙に対してさらに転写する２次転写装置１８２を有する。また、転写装置１６０は、中間転写体１６２を清掃する清掃装置１８６を有する。
【００３３】
また、画像形成装置本体１２内には、２次転写装置１８２によって用紙に転写されたトナー像を、例えば熱と圧力とを用いて用紙に定着する定着装置５０が配置されている。
【００３４】
給紙装置４００は、用紙を積層した状態で用紙を収納する収納容器４０２を有する。また、給紙装置４００は、収納容器４０２に収納された最上位の用紙を抽出し、抽出した用紙を像形成部１００へ向けて送り出すように搬送する搬送ロール４０４を有する。
【００３５】
また、画像形成装置本体１２内には、用紙の搬送に用いられる用紙搬送路４２０が形成されている。用紙搬送路４２０は、給紙装置４００から供給された用紙を像形成部１００へと搬送し、画像が形成された用紙を画像形成装置本体１２外へと排出するために用いられる。また、画像形成装置本体１２内には、用紙搬送路４２０に沿って、用紙が搬送される方向における上流側から順に、先述の搬送ロール４０４と、搬送ロール４３０と、レジストロール４３２と、先述の２次転写装置１８２と、先述の定着装置５０と、排出ロール４３４とが配置されている。
【００３６】
また、画像形成装置本体１２内には、画像濃度センサ５０２と環境センサ５０４とが配置されている。
【００３７】
画像濃度センサ５０２は、画像濃度検知手段として用いられていて、中間転写体１６２に形成されたトナー像の濃度を計測するセンサである。ここでいう画像濃度とは、光学濃度のことであり、色の濃さのことである。画像濃度センサ５０２は、例えば制御の基準として用いられる基準画像等のトナー像に光を照射し、例えば反射出力比(ＲＡＤＣ値、Ratio Auto Density Control）を出力する。
【００３８】
環境センサ５０４は、画像形成時における画像形成装置本体１２内の環境を計測するセンサである。ここでいう環境には、温度、湿度、気圧などが含まれる。本実施例においては、環境センサ５０４は温度及び湿度を計測するセンサである。
【００３９】
図２には、トナー像形成部１１０が示されている。イエロートナー像形成部１１０Ｙ、マゼンタトナー像形成部１１０Ｍ、シアントナー像形成部１１０Ｃ、黒トナー像形成部１１０Ｋは、用いるトナーの色と形成するトナー像の色とが異なるものの構成が同一である。このため、以下、特に区別をする必要がある場合を除きトナー像形成部１１０と総称して説明する。
【００４０】
図２に示されているように、トナー像形成部１１０は、先述の感光体ドラム１１２と、帯電装置１１６と、先述の現像装置２００と、清掃装置１２０と有する。帯電装置１１６は、感光体ドラム１１２を帯電する帯電部として用いられていて感光体ドラム１１２表面を均一に帯電する。清掃装置１２０は、例えば掻き落とすようにして、感光体ドラム１１２の表面に残留したトナー像等を除去し、感光体ドラム１１２を清掃する。
【００４１】
現像装置２００は、所謂２成分現像装置である。すなわち、現像装置２００は、トナー及びキャリアを含む２成分現像剤を用いて潜像を現像をする装置であり、現像装置２００では、非磁性トナーと磁性キャリアとからなる２成分現像剤が使用される。ここで、トナーとは、帯電性を持った例えばプラスチック粒子に、例えば炭素等の色粒子を混入させた微粒子であり、例えば摩擦により帯電され、感光体ドラム１１２に形成された潜像に静電的に付着することで感光体ドラム１１２に形成された潜像を現像する。また、キャリアとは、磁性体を例えばエポキシ樹脂等でコーティングした微粒子であり、トナーと混合され使用される。
【００４２】
また、現像装置２００は、現像装置本体２１０を有し、現像装置本体２１０には、感光体ドラム１１２に対向するように現像用開口部２１２が形成されている。また、現像装置本体２１０には、トナー収納容器３００から供給されたトナーを受け入れるために用いられる受入用開口部２１４が形成されている。また、現像装置本体２１０内には、現像ロール２３０と、搬送部材２５０と、搬送部材２５２と、トナー濃度センサ２６０とが配置されている。
【００４３】
搬送部材２５０及び搬送部材２５２は、現像装置本体２１０内において現像剤を撹拌しつつ、搬送する部材である。受入用開口部２１４を介して現像装置本体２１０内へと受け入れられたトナーは、搬送部材２５０及び搬送部材２５２によって、既に現像装置本体２１０内に存する現像剤と撹拌される。また、現像装置本体２１０内のトナーは、搬送部材２５０及び搬送部材２５２によって撹拌され、搬送されることで、例えばキャリア等と擦れ合うことによって摩擦により帯電する。
【００４４】
トナー濃度センサ２６０は、トナー濃度検知手段として用いられていて、現像装置本体２１０内に存する現像剤中のトナーの濃度を検知する。
【００４５】
また、現像装置２００は、現像ロール２３０を有する。現像ロール２３０は、感光体ドラム１１２に接触又は近接するように配置されている現像スリーブ２３２と、マグネットロール２３４とを有する。現像スリーブ２３２は、円筒形状の部材であり、帯電したトナーを保持するトナー保持体として用いられていて、現像バイアスが印加されることにより保持したトナーを感光体ドラム１１２に供給する。また、現像スリーブ２３２には、例えばモータ等の駆動源（不図示）が連結されていて、この駆動源から駆動が伝達されることで、現像スリーブ２３２は、例えば図２に矢印で示す方向に回転する。
【００４６】
また、現像スリーブ２３２には、現像スリーブ２３２に現像バイアスを印加する現像バイアス印加装置２７０が取り付けられている。この実施形態においては、現像装置２００Ｙ、現像装置２００Ｍ、現像装置２００Ｃ、現像装置２００Ｋがそれぞれに有する現像スリーブ２３２に対して、それぞれ別の現像バイアス印加装置２７０が取り付けられている。このため、それぞれの現像バイアス印加装置２７０を制御することで、現像装置２００Ｙ、現像装置２００Ｍ、現像装置２００Ｃ、現像装置２００Ｋがそれぞれに有する現像スリーブ２３２に印加する現像バイアスを独立に制御することができるようになっている。
【００４７】
マグネットロール２３４は、現像スリーブ２３２の中空部に配置されている円柱形状の永久磁石であり、複数のＳ磁極、Ｎ磁極が適宜配置されている。そして、マグネットロール２３４から発生される磁力によって現像スリーブ２３２の表面にキャリアが付着し、現像スリーブ２３２表面に磁気ブラシが保持されるようになっている。
【００４８】
また、現像装置本体２１０内には、トナー供給装置３１０によってトナー収納容器３００に収納されたトナーが供給されるようになっている。トナー供給装置３１０は、例えば螺旋状の羽根部材を備えたトナー搬送部材３１２を有し、トナー搬送部材３１２が回転することで現像装置本体２１０内へとトナーを供給する。
【００４９】
以上のように構成された現像装置２００においては、一定の重量当たりのトナーの帯電量が低くなると、感光体ドラム１１２の表面に形成された潜像の電位を飽和させるために必要となるトナーの量が増加するため、感光体ドラム１１２の潜像が形成された部分に付着するトナーの量は増加する。このため一定の重量当たりのトナーの帯電量が低くなると、用紙に形成される画像の濃度は高くなりやすい。
【００５０】
一方、一定重量当たりのトナーの帯電量が高くなると、感光体ドラム１１２の表面に形成された潜像の電位を飽和させるために必要となるトナーの量が減少するため、感光体ドラム１１２の潜像が形成された部分に付着するトナーの量が減少する。このため、一定の重量当たりのトナーの帯電量が高くなると用紙に形成される画像の濃度は低くなりやすい。そして、一般に、現像装置においては、キャリアが劣化していない等の理由で、初期の状態程トナーが帯電しやすく、一定重量当たりのトナーの帯電量が高くなりやすい。このため、初期状態にある現像装置を用いて画像を形成した場合、一定時間使用をした現像装置を用いて画像を形成した場合と比較して画像の濃度が低くなりすい。
【００５１】
図３には、画像形成装置１０の制御部６００が示されている。制御部６００は、例えばＣＰＵ等を備えた制御回路６０２を有し、制御回路６０２に通信インターフェイス６１０を介して画像データが入力される。また、制御回路６０２には、トナー濃度センサ２６０からの出力と、画像濃度センサ５０２からの出力と、環境センサ５０４からの出力とが入力される。また、制御回路６０２からの出力によって、像形成部１００と、現像バイアス印加装置２７０と、トナー供給装置３１０と、給紙装置４００とが制御される。
【００５２】
図４には、現像装置２００Ｙ、現像装置２００Ｍ、現像装置２００Ｃ、現像装置２００Ｋのそれぞれで現像に用いられるトナーの帯電量と、現像されたトナー像を画像濃度センサ５０２で読み取った場合の画像濃度センサ５０２の出力との関係を測定した結果が示されている。より具体的には、現像装置２００Ｙ、現像装置２００Ｍ、現像装置２００Ｃ、現像装置２００Ｋで、イエローのトナー像、マゼンタのトナー像、シアンのトナー像、黒のトナー像を形成し、これらのトナー像を１次転写装置１８０Ｙ、１次転写装置１８０Ｍ、１次転写装置１８０Ｃ、１次転写装置１８０Ｋで中間転写体１６２に転写することで中間転写体１６２の表面にイエローのパッチ、マゼンタのパッチ、シアンのパッチ、黒のパッチを形成し、これらのパッチを画像濃度センサ５０２で測定した場合における用いたそれぞれのトナーの帯電量と画像濃度センサ５０２の出力との関係が図４には示されている。ここで、イエローのパッチ、マゼンタのパッチ、シアンのパッチ、黒のパッチは、それぞれが現像装置２００を用いて形成した基準画像に相当する。
【００５３】
上述のように、現像装置２００で用いられるトナーの一定重量当たりの帯電量が高くなると形成される画像の濃度が低くなる。そして、本実施形態では、現像装置２００の初期設定時においては、画像濃度センサ５０２により検知された画像の濃度が予め定められた値以下である場合には、すなわち、図４に示されている測定結果を用いて、画像濃度センサ５０２の出力から現像装置本体２１０中のトナーの帯電量を制御回路６０２が算出し、算出したトナーの帯電量が予め定められた閾値以上である場合には、制御回路６０２が現像バイアス印加装置２７０を制御し、現像スリーブ２３２に印加される現像バイアスを後述する安定期の濃度制御を行う場合の範囲よりも高くして、トナーの帯電量が高いことを原因とする画像濃度の低下を防止している。
【００５４】
ここで、現像装置２００の初期設定には、現像装置２００を含めた画像形成装置１０そのものに対して、工場等から出荷の後に初めて使用する前等に行われる設定が含まれる。また、現像装置２００の初期設定には、現像装置２００の交換等にともなって、現像装置２００に対して、工場等から出荷の後に初めて使用する前等に行う設定がさらに含まれる。
【００５５】
上述のように、本実施形態においては、画像濃度センサ５０２により検出された画像濃度が予め定められた値以下である場合には、制御回路６０２が現像バイアス印加装置２７０を制御し、現像スリーブ２３２に印加される現像バイアスを高くして、トナーの帯電量が高いことを原因とする画像濃度の低下を防止している。ここで、画像の濃度の低下を防止し、画像濃度を高くするには、上述のように現像バイアスを高くする方法の他に、トナー供給装置３１０を用いて現像装置２００内にトナーを供給し、現像装置２００内に収納されている現像剤中のトナーの濃度を高くする方法がある。しかしながら本実施形態に係る画像形成装置１０は、初期設定時において画像濃度が低い場合には、トナー濃度センサ２６０によって検知された現像剤中のトナー濃度に基づいて現像装置２００へとトナーを補給するのではなく、上述のように現像バイアスを高くすることで画像濃度の低下を防止している。
【００５６】
その理由は、初期設定時は、トナー濃度センサ２６０の読み値（出力値）の固体差を補正する期間であり、初期設定時におけるトナー濃度センサ２６０の読み値と現像装置２００中の実際のトナー濃度とばらつきが大きく、トナー濃度センサ２６０の読み値に基づいて現像剤中のトナー濃度を制御しようとしても正確な制御ができないためである。そして、トナー濃度センサ２６０の読み値の個体差を補正するには、初期設定を開始した後に、例えば１００枚から２００枚程度の画像を形成することを要する。このため、本実施形態に係る画像形成装置１０においては、初期設定の開始の後に、例えば少なくとも１００枚から２００枚程度の画像を形成するまでは、トナー濃度センサ２６０に基づく現像装置２００内のトナー濃度の制御を行っていない。
【００５７】
一方において、画像濃度センサ５０２により検知された画像の濃度が予め定められた値よりも大きい場合には、すなわち画像濃度センサ５０２の出力から制御回路６０２が算出したトナーの帯電量が予め定められた値よりも小さいと判別した場合には、制御回路６０２は、現像スリーブ２３２に印加する現像バイアスを高くさせる制御を行わない。そして、この場合には、制御回路６０２は、トナー濃度センサ２６０により検知された現像装置２００内に収納された現像剤中のトナーの濃度に基づいて、現像装置２００内に収納された現像剤中のトナーの濃度を制御する。
【００５８】
以上のように、この実施形態においては、制御回路６０２は、画像濃度センサ５０２の出力から感光体ドラム１１２に供給されるトナーの帯電量を算出する帯電量算出手段として用いられている。また、この実施形態においては、制御回路６０２は、算出されたトナーの帯電量が予め定められた値以上である場合に、現像スリーブ２３２に印加される現像バイアスを高くするように制御する制御手段として用いられている。
【００５９】
以下、制御回路６０２による画像形成装置１０の制御をより具体的に説明する。
図５には、現像装置２００の初期設定時の動作が示されている。
図５に示されているように、初期設定においては、ステップＳ１０において制御回路６０２は像形成部１００を制御し、像形成部１００に現像装置２００の空回しを行わせる。
【００６０】
次のステップであるステップＳ１００において、制御回路６０２は、現像バイアス印加装置２７０を制御し、現像バイアス印加装置２７０に対して現像スリーブ２３２に印加する現像バイアスの調整を行わせる。ステップＳ１００における現像バイアスの調整の詳細は後述する。ここで、先述のように、現像バイアスの制御がなされるのは、画像濃度センサ５０２により検知された画像の濃度が予め定められた値以下である場合であり、画像濃度センサ５０２により検知された画像の濃度が予め定められた値よりも大きい場合には、現像装置２００に収納された現像剤中におけるトナーの濃度が制御されるものの、図５には、現像バイアスを制御する場合のみを示した。初期設定時においては、トナーが帯電しやすく、画像濃度センサ５０２により検知された画像の濃度が予め定められた値以下である場合が多いためである。
【００６１】
次のステップＳ１２において、制御回路６０２は、予め定められた所定回数の現像バイアスの調整が行われたか否かを判別する。このように現像バイアスの調整を複数回繰り返し行うことで、それぞれの現像バイアスの調整のステップであるステップＳ１００で調整がなされる現像バイアスの幅を小さくすることができる。このため、１回の現像バイアスの調整で調整を完了させる場合と比較して、現像バイアスの正確な制御が可能となる。尚、予め定められた回数の現像バイアスの調整をすることに替えて、画像濃度センサ５０２によって読み取られた基準画像の濃度と閾値との差が予め定められた範囲内となるまで現像バイアスの調整を繰り返すように制御してもよい。
【００６２】
ステップＳ１２において予め定められた回数の現像バイアスの調整が行われたとの判別がなされると、ステップＳ１４において、制御回路６０２は、像形成部１００を制御し、出力する画像の濃度や色味の補正を行わせる。
【００６３】
図６には、ステップＳ１００における現像バイアスの調整の詳細が示されている。図６に示されているように、ステップＳ１０２において、制御回路６０２は、像形成部１００を制御して、像形成部１００に濃度測定用の基準画像であるパッチを形成させる。より具体的には、制御回路６０２は、現像装置２００Ｙ、現像装置２００Ｍ、現像装置２００Ｃ、現像装置２００Ｋに、イエローのトナー像、マゼンタのトナー像、シアンのトナー像、黒のトナー像を形成させ、１次転写装置１８０Ｙ、１次転写装置１８０Ｍ、１次転写装置１８０Ｃ、１次転写装置１８０Ｋを制御して、これらのトナー像を中間転写体１６２に転写させ、中間転写体１６２の表面に、イエローのパッチ、マゼンタのパッチ、シアンのパッチ、黒のパッチを形成させる。
【００６４】
次のステップＳ１０４において、制御回路６０２は、画像濃度センサ５０２を制御して、画像濃度センサ５０２にイエローのパッチ、マゼンタのパッチ、シアンのパッチ、黒のパッチの濃度を読み取らせるとともに、読み取らせた各パッチの濃度が予め定めされた値（閾値）以下であるか否かを判別する。
【００６５】
次のステップＳ１０６では、制御回路６０２は、現像バイアス印加装置２７０を制御し、ステップＳ１０４においてパッチ画像の濃度が閾値以下であるとの判別がなされた色の現像装置２００の現像スリーブ２３２に印加する現像バイアスを高くさせる。ここで、繰り返されるステップＳ１００（図４におけるステップＳ１２を参照）における次のステップＳ１００においては、今回のステップＳ１００で調整された後の現像バイアスがステップＳ１０２でパッチを形成する際に現像スリーブ２３２に印加される。
【００６６】
図７には、ステップＳ１０６で現像スリーブ２３２に印加する現像バイアスを高くした場合における、形成した画像の量と現像スリーブ２３２に印加される現像バイアスとの関係が示されている。図７に示されているように、制御回路６０２は、現像装置２００の初期設定時に現像スリーブ２３２に印加する現像バイアスを後述する安定期の濃度制御を行う場合の現像バイアスの範囲よりも高くした場合に、現像装置２００の初期設定の後に、予め定められた量の画像が形成された後に現像スリーブ２３２に印加する現像バイアスを低くさせるように現像バイアス印加装置２７０を制御する。ここで、画像が形成された量は、例えば形成された画像の枚数で示すものとし、予め定められた量の画像が形成された時点における画像が形成された枚数をＮ１枚とする。
【００６７】
また、この際、制御回路６０２は、図７に示すように、形成された画像の枚数で示される形成された画像の形成量がＮ１枚からＮ２枚の間は、形成された画像量の増加に伴って、現像スリーブ２３２に印加する現像バイアスを低くさせるように現像バイアス印加装置２７０を制御する。
【００６８】
画像の形成量がＮ２枚よりも大きくなると、画像の濃度が安定する安定期に入る。この安定期においては、トナー濃度センサ２６０の出力に基づいての現像装置２００内に収納された現像剤中のトナー濃度を制御することによって画像濃度の安定が図られる。また、安定期における画像濃度の制御においては、現像バイアスが一定の範囲となる。そして、画像の形成量がＮ１枚以下においては、すなわち現像装置２００の初期設定時においては、現像バイアスが、上述の安定期の濃度制御を行う場合の現像バイアスの範囲よりも高くなるように制御されている。尚、画像の形成量がＮ１枚以下において、現像バイアスを上述の安定期の濃度制御を行う場合の現像バイアスの範囲よりも高くなるように制御することに替えて、現像バイアスを予め定められた基準値よりも高くするように制御しても良い。
【００６９】
また、制御回路６０２は、現像装置２００の初期設定を開始した後に、例えばＮ１枚等、予め定められた量の画像が形成されるまでは、トナー供給装置３１０による現像装置２００へのトナーの供給がされないように制御する。すなわち、現像装置２００の初期設定を開始した後にＮ１枚の画像が形成されるまでは、画像濃度が低く、画像濃度を高くすることを必要とする場合であっても現像装置２００へのトナーの供給は行われず、画像濃度の制御は、上述のように現像スリーブ２３２に印加する現像バイアスを高くすることにより專らなされる。
【００７０】
このように、現像装置２００の初期設定を開始した後、予め定められた量の画像が形成されるまでは現像装置２００へのトナーの供給がなされないため、現像装置２００内の現像剤中におけるトナー濃度は、トナーが供給されることによる変化がなく安定した状態となる。そして、現像装置２００内の現像剤中におけるトナー濃度は、画像を形成することによるトナーの消費による低下はあるものの、工場等からの出荷時の濃度から大きく変化しない。このため、このようなトナーの濃度が安定した状態にある現像剤を用いて形成したパッチを画像濃度センサ５０２で読み取ることにより、初期設定の開始時からＮ１枚の画像が形成されるまでの間に、出荷された装置毎の画像濃度センサ５０２の出力値のばらつきを解消するための画像濃度センサ５０２の目標値の補正をすることができる。
【００７１】
図８には、現像バイアスの増加量の制御回路６０２による算出が説明されている。図８に示されているように、ステップＳ２０２において、制御回路６０２は、底上げ実施Flagが１であるか否かを判別する。ここで、底上げ実施Flagが１であるとは、現像バイスを高くすること（図６におけるステップＳ１０６を参照）を示している。
【００７２】
ステップＳ２０２で底上げ実施Flagが１でないとの判別がなされると、制御回路６０２は、算出を終了させる。
【００７３】
ステップＳ２０２において、底上げ実施Flagが１であるの判別がなされると、ステップＳ２０４において、制御回路６０２は、total_pvがoffset解除pv以上であるか否かを判別する。ここで、total_pvとは、図６に示すステップＳ１０６で現像スリーブ２３２に印加する現像バイアスを高くした場合における形成した画像の量であり、図７における横軸の値である。そして、offset解除pvとは、先述の図７に示すＮ２である。ステップＳ２０２において、total_pvがoffset解除pv以上であるとの判別がなされた場合、ステップＳ２０６において、制御回路６０２はOffsetBias、すなわち、現像バイアスの増加量を０とする。
【００７４】
一方、ステップＳ２０４において、total_pvがoffset解除pvよりも小さいとの判別がなされた場合、ステップＳ２０６において、制御回路６０２はtotal_pvがoffset_pv以上であるか否かを判別する。ここで、offset_pvとは、先述の図７に示すＮ１であり、現像バイアスの増加量を低下させ始める時点における画像が形成された量である。
【００７５】
ステップＳ２０６において、total_pvがoffset_pv以上であるとの判別がなされた場合、制御回路６０２は、ステップＳ２０８においてOffsetBiasを図７に示されているbias_yとする。
【００７６】
一方、ステップＳ２０６でtotal_pvがoffset_pvがよりも大きいとの判別がなされた場合、ステップＳ２１０において、制御回路６０２は以下に示されている式に基づいてOffsetBias、すなわち現像バイアスの増加量を算出する。
OffsetBias=(−1)＊bias_y/(offset解除pv−offset_pv)＊(total_pv−offset解除pv)
【００７７】
図９には、本発明の第２の実施形態に係る画像形成装置が有する黒トナー像形成部１１０Ｋが示されている。先述の本発明の第１の実施形態に係る画像形成装置１０においては、現像装置２００Ｙ、現像装置２００Ｍ、現像装置２００Ｃ、現像装置２００Ｋがそれぞれに有する現像スリーブ２３２に対して、それぞれ別の現像バイアス印加装置２７０が取り付けられていて、それぞれの現像バイアス印加装置２７０を制御することで、現像装置２００Ｙ、現像装置２００Ｍ、現像装置２００Ｃ、現像装置２００Ｋがそれぞれに有する現像スリーブ２３２に印加する現像バイアスを独立に制御することができるようになっていた。
【００７８】
これに対して、この第２の実施形態に係る画像形成装置は、現像装置２００Ｙが有する現像スリーブ２３２Ｙ、現像装置２００Ｍが有する現像スリーブ２３２Ｍ、現像装置２００Ｃが有する現像スリーブ２３２Ｃ、現像装置２００Ｋが有する現像スリーブ２３２Ｋに対して現像バイアスを印加する共通の現像バイアス印加装置２７０を有していて、共通の現像バイアス印加装置２７０を制御することによって、現像スリーブ２３２Ｙ、現像スリーブ２３２Ｍ、現像スリーブ２３２Ｃ、現像スリーブ２３２Ｋに印加される現像バイアスが一括して制御されるようになっている。現像スリーブ２３２Ｙ、現像スリーブ２３２Ｍ、現像スリーブ２３２Ｃ、現像スリーブ２３２Ｋの全てに共通する現像バイアス印加装置２７０により現像バイアスを印加するようにすることに替えて、現像スリーブ２３２Ｙ、現像スリーブ２３２Ｍ、現像スリーブ２３２Ｃ、現像スリーブ２３２Ｋから選択された２つ又は３つの現像バイアスに共通の現像バイアス印加装置により現像バイアスを印加するようにしても良い。
【００７９】
以上で説明をした以外の部分は、この第２の実施形態に係る画像形成装置の構成は、先述の第１の実施形態に係る画像形成装置１０と同一である。
【００８０】
図１０には、現像装置２００の初期設定時の動作における現像バイアスの調整の詳細が示されている。この第２の実施形態における画像形成装置の初期設定時における動作は、先述の第１の実施形態に係る画像形成装置１０における初期設定の動作（図５を参照）と略同様である。ただし、この第２の実施形態に係る画像形成装置においては、ステップＳ１００における現像バイアスの調整時の動作は、先述の第１の実施形態に係る画像形成装置１０とは異なる。
【００８１】
図１０に示されているように、この第２の実施形態に係る画像形成装置においては、ステップＳ１１０において、制御回路６０２は、環境センサ５０４の出力である環境センサ湿度が湿度閾値よりも小さいか否かを判別する。そして、環境センサ湿度が湿度閾値以上であるとの判別がなされた場合、ステップＳ１１２で、制御回路６０２は底上げ実施Flagを０として、現像バイスを高くする制御を行わないものとする。尚、先述の第１の実施形態に係る画像形成装置１０においても、ステップＳ１０２に先立って、環境センサ５０４の出力である環境センサ湿度が湿度閾値よりも小さいか否かを判別し、環境センサ湿度が湿度閾値以上であるとの判別がなされた場合は、現像バイスを高くする制御を行わないものとしてもよい。
【００８２】
ステップＳ１１０で環境センサ湿度が湿度閾値よりも小さいとの判別がなされた場合、ステップＳ１１４において、制御回路６０２は、中間転写体１６２の表面に、イエローのパッチ、マゼンタのパッチ、シアンのパッチ、黒のパッチを形成させ、イエローのパッチ、マゼンタのパッチ、シアンのパッチ、黒のパッチを画像濃度センサ５０２に読み取らせ、イエローのパッチについての画像濃度センサ５０２の出力であるRADC_SA[Y]と、マゼンタのパッチについての画像濃度センサ５０２の出力であるRADC_SA[M]と、シアンのパッチについての画像濃度センサ５０２の出力であるRADC_SA[C]と、黒のパッチについての画像濃度センサ５０２の出力であるRADC_SA[K]と画像濃度センサ５０２に出力させる。そして、制御回路６０２は、各色について画像濃度センサ５０２の出力と色毎に定められた基準値（底上SA基準値）との差により規定される色毎のΔSA判定値を算出する。
【００８３】
すなわち、ステップＳ１１４において、制御回路は、
ΔSA判定値[Y]=RADC_SA[Y]−底上SA基準値[Y]
ΔSA判定値[M]=RADC_SA[M]−底上SA基準値[M]
ΔSA判定値[C]=RADC_SA[C]−底上SA基準値[C]
及び
ΔSA判定値[K]=RADC_SA[K]−底上SA基準値[ｋ]
を算出する。
【００８４】
続いて、ステップＳ１１６において、制御回路６０２は、各色のΔSA判定値の全てが０以上であるか否かを判別する。すなわち、制御回路は、
ΔSA判定値[Y]≧０
ΔSA判定値[M]≧０
ΔSA判定値[C]≧０
ΔSA判定値[K]≧０
であるか否かを判別する。ここで、ΔSA判定値が０以上である場合、パッチの濃度は、予め定められた値以下となる、
【００８５】
ステップＳ１１６において、各色のΔSA判定値の全てが０以上であるとの判別がなされた場合、ステップＳ１１８において、制御回路６０２は底上げ実施Flagを１として、現像バイアス印加装置２７０を制御し、全ての色についての現像バイスを高くさせる。
【００８６】
以上のように、制御回路６０２は、複数の現像装置である現像装置２００Ｙ、現像装置２００Ｍ、現像装置２００Ｃ、現像装置２００Ｋの少なくとも２つによってそれぞれに形成されたパッチの濃度の全てが予め定められた値以下である場合に、複数の現像装置である現像装置２００Ｙ、現像装置２００Ｍ、現像装置２００Ｃ、現像装置２００Ｋの少なくとも２つの現像バイアスを安定期の濃度制御を行う場合の範囲よりも高くさせている。
【００８７】
ステップＳ１１６で、各色のΔSA判定値の中に０よりも小さいものが１つでもあるとの判別がなされた場合、ステップＳ１２０において、制御回路６０２は、各色のΔSA判定値の全てが０よりも小さいか否かを判別する。すなわち、制御回路は、
ΔSA判定値[Y]＜０
ΔSA判定値[M]＜０
ΔSA判定値[C]＜０
ΔSA判定値[K]＜０
であるか否かを判別する。ここで、ΔSA判定値が０よりも小さい場合、パッチの濃度は、予め定められた値よりも大きくなる、
【００８８】
ステップＳ１２０において、各色のΔSA判定値の全てが０よりも大きいとの判別がなされた場合、ステップＳ１１８において、制御回路６０２は底上げ実施Flagを０として、現像バイスを高くする制御を行わないものとする。
【００８９】
以上のように、制御回路６０２は、複数の現像装置である現像装置２００Ｙ、現像装置２００Ｍ、現像装置２００Ｃ、現像装置２００Ｋの少なくとも２つによってそれぞれに形成されたパッチの濃度の全てが予め定められた値よりも大きい場合には、複数の現像装置である現像装置２００Ｙ、現像装置２００Ｍ、現像装置２００Ｃ、現像装置２００Ｋに印加させる現像バイアスを変化させない。
【００９０】
ステップＳ１２０で、各色のΔSA判定値の中に０以上であるものが１つでもあるとの判別がなされた場合、ステップＳ１２４において、制御回路６０２は、各色のパッチについての画像濃度センサ５０２の出力の加重平均値であるSA平均値を算出する。すなわち、制御回路６０２は、
SA平均値=(RADC_SA[Y]＊重み係数[Y]/100+RADC_SA[M]＊重み係数[M]/100+
RADC_SA[C]＊重み係数[C]/100+RADC_SA[K]＊重み係数[K]/100)/4
を算出する。ここで、SA平均値を算出するにあたっては、トナーに含まれる色素の性質等により高濃度のトナー像を形成しにくいトナーについての重み係数を大きくすることが望ましい。
【００９１】
続いて、ステップＳ１２２において、制御回路６０２は、SA平均値が泣き別れSA基準値よりも以上であるか否かを判別する。ここで、泣き別れSA基準値とは、各色のΔSA判定値の中に０以上であるものと、０よりも小さいものとが混在する場合に用いられる基準値である。
【００９２】
ステップＳ１２２において、SA平均値が泣き別れSA基準値以上であるとの判別がなされた場合、ステップＳ１２４において、制御回路６０２は底上げ実施Flagを１として、現像バイアス印加装置２７０を制御し、全ての色についての現像バイスを高くさせる。一方、ステップＳ１２６において、制御回路６０２は底上げ実施Flagを０として、現像バイスを高くする制御を行わないものとする。
【００９３】
以上のように、制御回路６０２は、複数の現像装置である現像装置２００Ｙ、現像装置２００Ｍ、現像装置２００Ｃ、現像装置２００Ｋの少なくとも２つによってそれぞれに形成されたパッチの濃度の少なくとも一つが予め定められた値以下であり、複数の現像装置である現像装置２００Ｙ、現像装置２００Ｍ、現像装置２００Ｃ、現像装置２００Ｋの少なくとも２つによってそれぞれに形成されたパッチの濃度の少なくとも他の一つが予め定められた値よりも大きい場合は、複数の現像装置である現像装置２００Ｙ、現像装置２００Ｍ、現像装置２００Ｃ、現像装置２００Ｋの少なくとも２つよってそれぞれに形成されたパッチの濃度の加重平均値が予め定められた値以下である場合に、印加される現像バイアスを安定期の濃度制御を行う場合の範囲よりも高くするように制御する。
【００９４】
以上で説明をした第１の実施形態に係る画像形成装置１０と第２の実施形態に係る画像形成装置においては、画像の濃度を画像濃度センサ５０２で検出し、画像濃度センサ５０２の出力から現像装置２００内のトナーの帯電量を求めているものの（図４を参照）、現像装置２００内のトナーの帯電量は、例えば、現像装置２００にトナーの帯電量を検出するセンサを設ける等、他の方法で求めても良い。この場合、第１の実施形態に係る画像形成装置１０と第２の実施形態に係る画像形成装置とは、像保持体として用いられている感光体ドラム１１２と、帯電したトナーを保持するトナー保持体であって、現像バイアスが印加されることにより帯電したトナーを前記像保持体へと供給するトナー保持体として用いられてる現像スリーブ２３２を有する現像装置２００と、現像装置２００の初期設定時において、トナーの帯電量が予め定められた値以上である場合に、現像スリーブ２３２に印加されるに印加される現像バイアスを安定期の濃度制御を行う場合の範囲より高くするように制御する制御手段として用いられている制御回路６０２とを有するものとなる。
【産業上の利用可能性】
【００９５】
以上で説明をしたように、本発明は、複写機、ファクシミリ装置、プリンタ等の画像形成装置に適用することができる。
【符号の説明】
【００９６】
１０・・・画像形成装置
１１２・・・感光体ドラム
２００・・・現像装置
２３２・・・現像スリーブ
２６０・・・トナー濃度センサ
２７０・・・現像バイアス印加装置
３１０・・・トナー供給装置
５０２・・・画像濃度センサ
６００・・・制御部
６０２・・・制御回路
【図１】
2016061817.tif 000003
【図２】
2016061817.tif 000004
【図３】
2016061817.tif 000005
【図４】
2016061817.tif 000006
【図５】
2016061817.tif 000007
【図６】
2016061817.tif 000008
【図７】
2016061817.tif 000009
【図８】
2016061817.tif 000010
【図９】
2016061817.tif 000011
【図１０】
2016061817.tif 000012